【事件の表示】
　特許第３１８０２４５号「配線用フロアパネル」の請求項１〜５に係る特許に対する特許異議の申立てについて、次のとおり決定する。
【結　論】
　訂正を認める。
　特許第３１８０２４５号の請求項１〜５に係る特許を維持する。
【理　由】
〔１〕手続の経緯
　本件特許第３１８０２４５号発明についての出願は、平成８年９月３０日に特許出願され、平成１３年４月２０日にその発明について特許権の設定登録がなされ、その後、江井浩孝より、その請求項１〜５に係る発明の特許について特許異議の申立てがなされ、当審において取消しの理由を通知したところ、その指定期間内の平成１４年７月３０日に訂正請求がなされた。
　
〔２〕訂正請求について
１　訂正請求の内容
　本件訂正請求の趣旨は、特許第３１８０２４５号の明細書を訂正請求書に添付した訂正明細書のとおり訂正することを求めるものであり、訂正事項は以下のとおりである。
　訂正事項ａ
　特許請求の範囲の請求項１の「アップコンセント又はカバー板の支持台となる」を、「カバー板の支持台となる」と訂正する。
　訂正事項ｂ
　発明の詳細な説明の段落【０００５】の「アップコンセント又はカバー体の支持台となる」を、「カバー板の支持台となる」と訂正する。
　訂正事項ｃ
　発明の詳細な説明の段落【０００７】の「アップコンセント又はカバー体の支持台となる」を、「カバー板の支持台となる」と訂正する。
　訂正事項ｄ
　発明の詳細な説明の段落【０００８】の「アップコンセント又はカバー体を支持できるので、アップコンセント又はカバー体を支持することができる。」を、「カバー体を支持できる。」と訂正する。
　訂正事項ｅ
　発明の詳細な説明の段落【００１５】の「アップコンセント９（図７，図８参照）又はカバー板（図５，図６参照）」を、「カバー板（図５、図６参照）」と訂正する。
　訂正事項ｆ
　発明の詳細な説明の段落【００３２】の「また、この配線用フロアパネルによれば、センターポストでアップコンセントを支持できるので、アップコンセントの支持を強固にすることができる。また、この配線用フロアパネルによれば、」を、「また、この配線用フロアパネルによれば、」と訂正する。
　
２　訂正の適否
　訂正事項ａは、特許請求の範囲の請求項１における「アップコンセント又はカバー板の支持台となる」を、「カバー板の支持台となる」に限定するものであり、特許請求の範囲の減縮を目的とするものである。訂正事項ｂ〜ｆは、特許請求の範囲の訂正に伴い特許請求の範囲の記載と発明の詳細な説明の記載との整合を図るものであり、訂正事項ｂ、ｃ、ｆは、更に、誤記を訂正するものであって、訂正事項ｄ、ｅは、明りょうでない記載の釈明を目的とし、訂正事項ｂ、ｃ、ｆは、明りようでない記載の釈明及び誤記の訂正を目的とするものである。そして、訂正事項ａ〜ｆは、願書に添付した明細書又は図面に記載した事項の範囲内においてなされたものであり、しかも、実質上特許請求の範囲を拡張し、又は変更するものではない。
　したがって、上記訂正事項ａ〜ｆの訂正は、特許法１２０条の４第２項ただし書の規定、同条３項で準用する特許法１２６条２項及び３項の規定に適合するので、本件訂正請求を認める。
　
〔３〕特許異議の申立てについて
１　異議申立ての理由の概要
　異義申立人江井浩孝は、以下の理由により請求項１〜５に係る発明は、特許を受けることができないものであり、それらの特許は取り消されるべきである旨主張するとともに、甲第１号証〜甲第１２号証及び周知例１〜５を提出している。
（１）請求項１に係る発明は、甲第１号証〜甲第３号証に記載された技術と同一、請求項２に係る発明は、甲第１号証に記載された技術と同一、請求項３に係る発明は、甲第１号証〜甲第３号証、甲第７号証に記載された技術と同一、請求項４に係る発明は、甲第１号証、甲第６号証〜甲第８号証に記載された技術と同一、請求項５に係る発明は、甲第１号証〜甲第３号証、甲第７号証、甲第８号証に記載された技術と同一である。
（２）請求項１〜５に係る発明は、甲第１号証〜甲第１２号証に記載されたもの及び周知技術に基いて当業者が容易に発明をすることができたものである。
（３）明細書の記載が、次の点で不備である。
　ア　請求項１の記載において、薄肉連結片の意味が不明であり、限定記載する意味も不明である。
　甲第１号証、甲第２号証、甲第３号証、甲第８号証に開示の種々の周知技術から、薄肉連結の用語の意味は、床面の不陸追従性、可撓性を有する意味合いで広く知られ用いられているのが通常であり、この種の技術は一般常識である。
　イ　アップコンセント又はカバー板の支持台となる立設されたセンターポストは、本件特許の明細書の詳細な説明及び図７，図８を参照しても具体的な支持構成が開示されておらず、どのようにしてアップコンセントを支持するのかが不明りょうである。アップコンセントは、内部にコンセント器具が収納され必要な時に上方へ立ち上がらせるように取付台又は取付金具を有する構造のコンセントであることが広く知られており、センターポストが立設されていると、構造上邪魔になり強固に支持できない。
　ウ　請求項１における「上面開口部」の構成に係る効果の記載がなく、この構成は意味のある必須の構成要件ではない。また、この構成が図示のどこに相当するのか、具体的な記載がない。
　エ　請求項１における「アップコンセントの取付台をネジ止めするための孔部」に係る効果の記載がないので、この構成は意味のある必須の構成要件ではない。
　
２　本件発明
　本件特許第３１８０２４５号の請求項１〜５に係る発明（以下、「本件発明１」〜「本件発明５」という。）は、訂正明細書の特許請求の範囲の請求項１〜５に記載された事項により特定される次のとおりのものと認める。
「【請求項１】複数の方形支持ブロックの対向する側端の下部を薄肉連結片で相互に連結して直交配線溝を形成した配線用フロアパネルにおいて、上記方形支持ブロックの各々は開放した底面を有し、内裏面には複数のリブ柱を所定隙間を保持して突設させた構造となし、更に上記直交配線溝の側内壁から方形支持ブロックの外側立壁に通じるバイパス分岐路を形成した構造とし、その端部は上記方形支持ブロックの外側立壁から上面にかけて切り欠いた上面開口部を形成し、上記直交配線溝には、複数のスペーサブロックを長手方向に所定間隔を設けて、直交配線溝を区画し、上記直交配線溝を形成する薄肉連結片の交差箇所には、カバー板の支持台となるセンターポストを立設し、上記直交配線溝の交差部に位置する４つの方形支持ブロックの落し込み段部の隅部は、アップコンセントの取付台をネジ止めするための孔部を形成していることを特徴とする、配線用フロアパネル。
【請求項２】上記方形支持ブロックの上面には、方形支持ブロックを４分割するための十文字の切込み溝が形成されていることを特徴とする、請求項１に記載の、配線用フロアパネル。
【請求項３】上記方形支持ブロックの上面には、方形支持ブロックを４分割するための十文字の切込み溝が形成されるとともに、この切込み溝に従って分割される薄肉連結片には、対応したスペーサブロックを対設していることを特徴とする、請求項２に記載の配線用フロアパネル。
【請求項４】上記直交配線溝の側内壁には、上記方形支持ブロックの内部に形成された上記リブ柱の小間隙を配線挿通路とする配線挿通孔を形成していることを特徴とする、請求項１〜３のいずれかに記載の配線用フロアパネル。
【請求項５】  隣接する配線用フロアパネルの方形支持ブロックの落し込み段部同士に、カバー板を掛け渡して連結するようにした、請求項１〜４のいずれかに記載の配線用フロアパネル。」
　
３　特許異議の申立てについての判断
３−１　異議申立ての理由（１）（２）について
３−１−１　甲各号証の記載事項
　甲第１号証(実願昭６２−８３８３５号（実開昭６３−１９２５３９号）のマイクロフィルム)には、配線用フロアパネルに関して、「所定の間隔をおいて配置した中空で下面が開放している複数個の配線溝形成用方形ブロツクの下端部相互を連結することにより、ブロツクとブロツクの間に下端連結部を底とする直交配線溝を形成し、上記各方形ブロツクの側面の共通位置に設けた下辺側に開いている切欠部を通じてパネルの対応２側面間に連通する直交配管溝を形成し、上記直交配線溝の上面開口を、その開口縁に設けた段部に落し込み式にはまる十字形カバー板で覆つてパネルの上面を平らに構成したフロアパネル」（実用新案登録請求の範囲）、「ブロック相互の連結部２は、ブロック１の厚さより肉薄にすることにより、その連結部２に可撓性を与えている。」（明細書７頁１０〜１２行）、「配線溝３の上面開口縁に当る各正方形ブロック１の縁に段部７が設けられており、配線溝３の上面開口を一度に覆う十字形カバー板８が上記段部７に落し込み式にはまるようになっている。」（同７頁１６〜１９行）、「トンネル状配管溝６を電線・電話線等の配線に利用することもできる。」（同１１頁４〜５行）と記載されている。
　甲第２号証（実願平３−１０７２３１号（実開平６−１０４８４号）のＣＤ−ＲＯＭ）には、配線用フロアパネルに関して、「【請求項１】方形パネルの上面に配線溝を直交させて設け、その配線溝の上面開口をカバー板でふさいで上面を平らに構成する配線用フロアパネルにおいて、配線溝の底を成す薄板部分に、カバー板の裏面の略中央を受ける突起を備えていることを特徴とする配線用フロアパネル。」（実用新案登録請求の範囲）と記載されている。
　甲第３号証（実願平４−８４８６０号（実開平６−４７４７８号）のＣＤ−ＲＯＭ）には、配線を目的とする二重床に関して、「図６において、……二重床用パネル１は、……中空構造である。この二重床用パネル１の上面には、図６に示すように、十字状の溝２が形成され、この十字状の溝２により４つの矩形の分割パネル部３、４、５、６が形成されている。……底板部２ａの幅方向の中央部には、溝２の延在する方向に所定間隔をおいて複数の壁部３０が形成されている。……各分割パネル部３、４、５、６の上面の十字状の溝２に沿う周縁には、図６、図７に示すように、それぞれの段部３ａ……が形成され、これらの段部３ａ……には、後述する十字状の溝２の上部を覆う蓋体が配置される。」（段落【００１２】、【００１３】）と記載されている。
　甲第４号証（特開昭６１−６０９６５号公報）には、二重床構造に関して、「床板２…には縦横、斜め、……適宜にルートを選択して共同溝３…が設置されている。共同溝３には電灯線４、コンセント線５……ガス管８や給水管９……の少なくとも１つがそのルートを選択して配設、配管される。共同溝３の上面は蓋１１により……蓋される。」（２頁右下欄８〜１５行）、「床板板２…は……コンクリート板などからなり、上記共同溝３を構成する側辺には、上縁部に載置段部１５が形成されているとともに、この側辺には少なくとも１個の配線、配管引出し用切欠部１６…が形成されている。」（３頁左上欄１〜６行）と記載されている。
　甲第５号証（特開昭６２−５９７５５号公報）には、フリーアクセスフロア用パネルが記載され、第１図、第２図には、パネルの裏面に縦リブ３ａ、横リブ３ｂが直角に交差して配置した態様が示されている。
　甲第６号証（特開昭６４−１０１４０号公報）には、支持構造材に関して、「上部壁１ａに多数個の孔部１ｂを有し、かつ上壁部１ａから下方に適当数の柱状体１ｃが突出され、……また、上壁部１ａの孔部１ｂが形成されていない部分からは下方に壁状体１ｅが複数個設けられている。そして、柱状体１ｃ、壁状体１ｅにより上壁部１ａの下部空間を保持するように構成されている。」（明細書３頁８〜１６行）、「この支持構造材１は必ずしも暖房用とは限らず、床上に並置しその上に床材を載置することにより、柱状体１ｃ、壁状体１ｈ、１ｉによって保持される空間を利用して諸種の配線や配管を敷設することができる。この場合に、孔部１ｂは配線配管の床上への引き出しに利用することができ」（同８頁７〜１３行）と記載されている。
　甲第７号証（特開平６−３０７０６３号公報）には、二重床装置に関して、「【請求項１】隅部裏面に脚部を突設させた三角形ブロック片を可撓性ヒンジ部で連結して平面視矩形に形成される床パネルと、連結蓋とを有し、前記床パネルの周縁には、適宜箇所に係合部を備えた段部が設けられるとともに、連結蓋の側縁には、前記段部上に支承され、かつ、係合部に係合する脚壁が設けられ、前記床パネルを連結蓋を介して互いに連結して床基部上適宜高さに床面を構築する二重床装置。」（特許請求の範囲）、「各三角形ブロック片２は、隅部裏面から突設される脚部１を有しており、不陸を有する床基部９上に載置した状態において、可撓性ヒンジ部３が不陸に追随して折れ曲がりつつ各三角形ブロック片２の脚部１が床基部９に密接する。なお、図４（ｂ）において１０は三角形ブロック片２を補強するためのリブを示す。」（段落【００１５】）、「上記連結蓋５の長辺部には、Ｕ字状の切欠１３が設けられており、床下配線の引き出し口が提供される。これに対し、コーナ連結用の連結蓋５Ｂは、図６に示すように、平面視略正方形状に形成されており、床パネル４の四隅部に形成された面取部４ａに対応させて面取された四隅部裏面に脚壁８を備える。」（段落【００１８】）と記載されている。
　甲第８号証（特開平６−３３０６１１号公報）には、二重床構造体に関して、「床下地材２１は、床基盤１１の上に隣り合う床下地材２１と所定の間隔Ｄ（図１参照）をおいて並設されている。床下地材２１は、４つの単位小体２１ａ，２１ｂ，２１ｃ，２１ｄが屈曲性結合片２３で結合されてなる合成樹脂製の一体成型品である。単位小体２１ａ等は、それぞれ４隅の主脚２５と中央の補助脚２７ならびにその間の８本の補助脚２９とを有し、各脚２５，２７，２９の間には補強用のリブ３１が設けられている。単位小体２１ａ等の天板３１の外周部には一段低くなって肩部３３が形成されている。床下地材２１と隣り合う床下地材２１′とは、その主脚２５，２５′間に屈曲性連結片４１が架設されて一体化されている。隣り合う床下地材２１，２１′の単位小体２１ｂと２１ｃ′との間隔Ｄは、１つの床下地材２１の単位小体(例えば２１ａと２１ｄ)との間隔ｄに等しい。」（段落【０００９】）、「床下地材２１と隣り合う床下地材２１′とは間隔Ｄ（図１参照）を置いて並設され、屈曲性連結片４１により互いに結合されている。そして、この床下地材２１と２１′との間隙部が収納溝３５′を形成している。また、１つの床下地材２１において、屈曲性結合片２３により結合されている４つの単位小体２１ａ，２１ｂ，２１ｃ，２１ｄの間の空隙部も収納溝３５を形成している。これら収納溝３５，３５′は互いに連通して縦横に連続し、この中に電気配線用のケーブル１３が敷設されている。」（段落【００１３】）、「仕上げ床パネル５１は、縦横に形成される収納溝３５，３５′と同一パターンの固定蓋板５９が裏面に固定され、固定蓋板５９を収納溝３５，３５′に嵌合させて床下地材２１，２１′，２１″，２１′″上に載置される。床仕上げパネル５１は、４つの床下地材２１，２１′，２１″，２１′″をまたがってこれらを覆い、固定蓋板５９が床下地材の肩部３３，３３′，３３″，３３′″で支持されて収納溝３５，３５′を閉塞し、固定蓋板５９の形成されていない部分の基材層５３が床下地材２１の天板３１で支持されている。」（段落【００１４】）と記載されている。
　甲第９号証（実願昭５６−２００３２号（実開昭５７−１３３８７５号）のマイクロフィルム）には、フロアコンセント取付構造について記載されており、第１図に、床の開口に取付プレートを介してフロアコンセントを取り付けたフロアコンセント取付構造が示されている。
　甲第１０号証（実公平３−３３１４８号公報）には、アップコンセントが記載されており、第２図に、コンセント本体が床上に突出した状態が示され、第３図に、コンセント本体が床下に没入した状態が示されている。
　甲第１１号証（実願昭６２−９７３７７号（実開昭６４−９４１２号）のマイクロフィルム）には、二重床用コンセントに関して、「コンセントは上記の上鍔付円筒に固設されて床面に突出し、あるいは該円筒内に嵌入支持支持されてスプリングによって床面に出没可能に設置される。」（明細書２頁１０〜１３行）と記載されている。
　甲第１２号証（特開平５−１５３７１４号公報）には、床材に関して、「【請求項１】床面に敷設されることとなる床基材の表面に配線用の凹溝を凹設し、配線用の凹溝の上部開口を閉じるように凹溝の上部開口に蓋板を配置し、上記蓋板の設置部分の一部に蓋板の代わりに蓋板と平面形状が略同形状に形成された電気部品を設置して成ることを特徴とする床材。」（特許請求の範囲）、「配線用の凹溝２の上部開口には蓋板３が取付けられるようになっており、この蓋板３は凹溝２の形状に合わせて形成されている。蓋板３は図７に示されるように略正方形に形成された中央蓋板３ａと、略長方形に形成された端部蓋板３ｂとで構成されており、図５、図６に示されるように基体１ａの端縁上部に形成された係止段部５に側端を載置することで凹溝２の上部開口に設置されるようになっている。蓋板３の設置部分の一部には蓋板３の代わりに蓋板３と平面形状が略同形状に形成された電気部品４が設置されるようになっており、この電気部品４は凹溝２内に収納配置された電線６と接続されるようになっている。平面形状が蓋板３と略同形状に形成される電気部品４としては、図３、図４に示されるようなものがある。これらのものは電気部品本体４ａの上部に蓋枠４ｂを設けて形成されており、電気部品本体４ａは凹溝２内に収納配置され、蓋枠４ｂが凹溝２の上部開口に設置されるようになっている。この蓋枠４ｂは外形形状を電気部品４が設置される設置部分に設置されることとなっていた蓋板３の外形形状と略同形状に形成されており、設置状態では隣合う蓋板３との間に隙間が形成されたりするようなことなく凹溝２の上部開口に設置することができるようになっている。図３に示されるものは、中央蓋板３ａの設置部分に設置されるようになった種々の構造のものを示しており、電源用のコンセント７や通信ネットワーク用のコネクタ８や電話のジャック９等を内蔵するようにしたものがあり」（段落【０００８】〜【００１０】）と記載されている。
　周知例１（実公平７−４６０２１号公報）には、「【請求項１】床基盤上に適宜間隔を隔てて多数枚の床パネルを敷設してなる二重床において、４枚の床パネルの隅角部の接合部において、平面視略コ字形の床パネル連結部とコンセント取付部とを有する一対の取付金具を対向配置し、該取付金具にて互いに隣接する２枚の床パネルの側端縁同士をそれぞれ連結するとともに、両取付金具のコンセント取付部間にコンセントを固着してなる」（実用新案登録請求の範囲）、「両取付金具２０のコンセント取付部２２の螺孔２５へコンセント３０を上方から止めネジ４０，４０にて固着するものである。」（３頁左欄２７〜２９行）、「コンセント本体３２を床パネル１，１間の間隙１６からフロアプレート３１外に出没自在に外フロアプレート３１下面に枢支する」（３頁左欄３３〜３５行）と記載されている。
　周知例２（特開昭６１−３８０６３号公報）には、二重床構造における配線溝となる条溝体１５の蓋に関し、「条溝体蓋２３は、コンセント取付け孔２５を形成した他の条溝体蓋２３ａ……等を、必要に応じて選択的に使用する。」（３頁左下欄１４〜１７行）と記載され、条溝体１５を連結するジョイント１６に関し、「ジョイント１６…には蓋１１の１部となるジョイント蓋３０…が施蓋される。これらジョイント蓋３０…は必要に応じてパイプ導出孔３１やコンセント取付け孔３２などを備えている。そして、ジョイント蓋３０はジョイント１６の上面を覆うと、ネジ３３…によりジョイント１６の支持壁２８…に固定される。」（３頁右下欄１８〜４頁左上欄３行）と記載されている。
　周知例３（特開平６−１５８８２８号公報）には、配線機能付き二重床装置に関し、「コーナーピットカバー４は、……周縁下面を各床パネル１の段部８に載置し……取付孔２５，…に通したネジ２６，…を、各床パネル１の段部８のコーナー部に形成したネジ穴２７，…に螺合して締着するのである。……コーナーピットカバー４，…の内の幾つかは、その中央部に配線コード１９を床パネル１上に導出するための引出口２８を形成し、」（段落【００１７】）と記載されている。
　周知例４（特開平７−３３１８５１号公報）には、配線用二重床フロアパネルに関し、「カバー板を床基材２１に固定する方式として、方形ブロック２の落とし込み段部３に固定した。そのための固定手段は、ねじ８７のように対角線上の位置にそれぞれ２個設けて、落とし込み段部にねじ止めし」（段落【００２８】）と記載されている。
　周知例５（特開平８−１３０８２１号公報）には、配線用床材に関し、「オフィスルームの基礎床面１には合成樹脂によって一体に形成された方形の配線用床材２が所定の間隔をおいて碁盤目状に敷設されている。前記配線用床材２は方形板状の天板２ａと、前記天板２ａの基礎床面１側の縁部に設けられた板状の支持脚２ｂと、前記天板２ａの裏面の基礎床面１側に突設された補強用のリブ２ｃとが一体に形成されている。」（段落【００１５】）、「隣接する配線用床材２との間には所定幅の空間を有する配線ピット３が形成されている。前記配線ピット３の上部は、隣接する配線用床材２の天板２ａの周縁部に形成された段部に鋼板、アルミニウム板或いは硬質の合成樹脂等からなる蓋体４が載置されており、」（同【００１６】）と記載されている。
　
３−１−２　対比・判断
（１）本件発明１について
　本件発明１と甲第１号証〜甲第１２号証記載のものとを対比すると、甲第１号証〜甲第１２号証のいずれにも、本件発明１を特定する事項である「直交配線溝の側内壁から方形支持ブロックの外側立壁に通じるバイパス分岐路を形成した構造とし、その端部は上記方形支持ブロックの外側立壁から上面にかけて切り欠いた上面開口部を形成し」については記載されていないし、示唆もされていない。また、異議申立人が提出した周知例を参照しても、上記事項が周知技術であるともいえない。
　なお、甲第１号証に記載の「方形ブロツクの側面の共通位置に設けた下辺側に開いている切欠部を通じてパネルの対応２側面間に連通する直交配管溝」は、電線・電話線等の配線に利用することもできるものであるが、本件発明１のような「バイパス分岐路」であるのか不明であるし、「方形支持ブロックの外側立壁から上面にかけて切り欠いた上面開口部」を有していない。甲第４号証には、「バイパス分岐路」は記載されていないし、床板２の側辺に形成された配線、配管引出し用切欠部１６は、共同溝３から配線、配管を外に引き出すためのものであり、本件発明１における、バイパス分岐路の端部から配線を引き出すための「上面開口部」を示唆するものではない。甲第７号証には、「バイパス分岐路」は記載されていないし、連結蓋５の長辺部に設けられたＵ字状の切欠１３は、連結蓋５の下方の空間にある配線を引き出すためのものと解され、本件発明１における、バイパス分岐路の端部から配線を引き出すための「上面開口部」を示唆するものではない。
　そして、本件発明１は、上記事項により特定されることにより、明細書に記載の「配線の幹線となる直交配線溝の側内壁に配線挿通孔を形成して、方形支持ブロックの内部から外側立壁にはバイパス分岐路を形成しているので、幹線から分岐した配線を、バイパス分岐路を通り最短距離で方形支持ブロックの外側に導出でき、また、方形支持ブロックの外側より導出している配線を直交配線溝まで導入できる。更に、ＯＡ機器などを配線して使用する場合も、配線の引き出しを直交配線溝からではなく、方形支持ブロックの外側からもでき、より隠蔽効率を高めることができる。」（段落【００３０】、【００３１】）との格別の効果を奏するものである。
　したがって、本件発明１は、甲第１号証〜甲第１２号証に記載されたものとすることができないばかりでなく、甲第１号証〜甲第１２号証記載のもの及び周知技術に基いて当業者が容易に発明をすることができたものとすることもできない。
　
（２）本件発明２〜５について
　本件発明２〜５は、本件発明１を引用して特定事項をさらに限定するものであるから、本件発明１が、甲第１号証〜甲第１２号証に記載されたものとすることができないばかりでなく、甲第１号証〜甲第１２号証記載のもの及び周知技術に基いて当業者が容易に発明をすることができたものともすることができない以上、本件発明２〜５は、甲第１号証〜甲第１２号証に記載されたものとすることができないばかりでなく、甲第１号証〜甲第１２号証記載のもの及び周知技術に基いて当業者が容易に発明をすることができたものとすることもできない。
　
３−２　異議申立ての理由（３）について
（１）アの点について検討すると、本件発明１の「薄肉連結片」は、当業者であれば、異議申立人も述べているように、甲第１号証、甲第２号証、甲第３号証、甲第８号証にも開示されているような、床面の不陸追従性、可撓性を有する程度の厚みの連結片を意味するものと理解できるので、「薄肉連結片」の意味が不明であるということはできない。そして、特許請求の範囲の請求項には、特許法３６条５項の規定により、特許出願人が特許を受けようとする発明を特定するために必要と認める事項のすべてを記載することになっており、しかも、同３６条５項は、異議申し立ての理由とされていないから、アの点で記載が不備であるとすることはできない。
（２）イについて検討すると、願書に添付した明細書が訂正され、アップコンセントの支持台となるセンターポストに関する事項は削除されたので、イの点の記載不備は解消した。
（３）ウの点について検討すると、訂正明細書の請求項１及び発明の詳細な説明の段落【０００５】の【課題を解決するための手段】の欄に、「上記直交配線溝の側内壁から方形支持ブロックの外側立壁に通じるバイパス分岐路を形成した構造とし、その端部は上記方形支持ブロックの外側立壁から上面にかけて切り欠いた上面開口部を形成し」と記載されており、この記載によると、バイパス分岐路の端部は方形支持ブロックの外側立壁から上面にかけて切り欠いた上面開口部を形成していると理解でき、図１にも、バイパス分岐路７の端部に方形支持ブロックの外側立壁から上面にかけて切り欠いて形成された上面開口部７ａが示されており、明細書の発明の詳細な説明には、「上面開口部」について明確に記載されている。そして、特許請求の範囲の請求項には、特許法３６条５項の規定により、特許出願人が特許を受けようとする発明を特定するために必要と認める事項のすべてを記載することになっており、しかも、同３６条５項は、異議申し立ての理由とされていないから、ウの点で記載が不備であるとすることはできない。
（４）エの点について検討すると、上記（３）で述べたように、特許請求の範囲の請求項には、特許法３６条５項の規定により、特許出願人が特許を受けようとする発明を特定するために必要と認める事項のすべてを記載することになっており、しかも、同３６条５項は、異議申し立ての理由とされていないから、エの点で記載が不備であるとすることはできない。
　　　　　　　　
〔４〕むすび
　以上のとおりであるから、異議申立人の主張する理由及び提出した証拠方法によっては、本件発明１〜５についての特許を取り消すことはできない。
　また、他に本件発明１〜５についての特許を取り消すべき理由を発見しない。
　よって、結論のとおり決定する。
【異議決定日】
平成１４年９月１７日（２００２．９．１７）
【訂正の要旨】
〔訂正の要旨〕
　特許第３１８０２４５号の明細書を、特許請求の範囲の減縮を目的として下記訂正事項ａのとおり、明瞭でない記載の釈明を目的として下記訂正事項ｄ、ｅのとおり、明瞭でない記載の釈明及び誤記の訂正を目的として訂正事項ｂ、ｃ、ｆのとおり訂正する。
　訂正事項ａ
　特許請求の範囲の請求項１の「アップコンセント又はカバー板の支持台となる」を、「カバー板の支持台となる」と訂正する。
　訂正事項ｂ
　発明の詳細な説明の段落【０００５】の「アップコンセント又はカバー体の支持台となる」を、「カバー板の支持台となる」と訂正する。
　訂正事項ｃ
　発明の詳細な説明の段落【０００７】の「アップコンセント又はカバー体の支持台となる」を、「カバー板の支持台となる」と訂正する。
　訂正事項ｄ
　発明の詳細な説明の段落【０００８】の「アップコンセント又はカバー体を支持できるので、アップコンセント又はカバー体を支持することができる。」を、「カバー体を支持できる。」と訂正する。
　訂正事項ｅ
　発明の詳細な説明の段落【００１５】の「アップコンセント９（図７，図８参照）又はカバー板（図５，図６参照）」を、「カバー板（図５、図６参照）」と訂正する。
　訂正事項ｆ
　発明の詳細な説明の段落【００３２】の「また、この配線用フロアパネルによれば、センターポストでアップコンセントを支持できるので、アップコンセントの支持を強固にすることができる。また、この配線用フロアパネルによれば、」を、「また、この配線用フロアパネルによれば、」と訂正する。
（５４）【発明の名称】
配線用フロアパネル
（５７）【特許請求の範囲】
　【請求項１】
　複数の方形支持ブロックの対向する側端の下部を薄肉連結片で相互に連結して直交配線溝を形成した配線用フロアパネルにおいて、上記方形支持ブロックの各々は開放した底面を有し、内裏面には複数のリブ柱を所定隙間を保持して突設させた構造となし、更に上記直交配線溝の側内壁から方形支持ブロックの外側立壁に通じるバイパス分岐路を形成した構造とし、その端部は上記方形支持ブロックの外側立壁から上面にかけて切り欠いた上面開口部を形成し、上記直交配線溝には、複数のスペーサブロックを長手方向に所定間隔を設けて、直交配線溝を区画し、上記直交配線溝を形成する薄肉連結片の交差箇所には、カバー板の支持台となるセンターポストを立設し、上記直交配線溝の交差部に位置する４つの方形支持ブロックの落し込み段部の隅部は、アップコンセントの取付台をネジ止めするための孔部を形成していることを特徴とする、配線用フロアパネル。
　【請求項２】
　上記方形支持ブロックの上面には、方形支持ブロックを４分割するための十文字の切込み溝が形成されていることを特徴とする、請求項１に記載の、配線用フロアパネル。
　【請求項３】
　上記方形支持ブロックの上面には、方形支持ブロックを４分割するための十文字の切込み溝が形成されるとともに、この切込み溝に従って分割される薄肉連結片には、対応したスペーサブロックを対設していることを特徴とする、請求項２に記載の配線用フロアパネル。
　【請求項４】
　上記直交配線溝の側内壁には、上記方形支持ブロックの内部に形成された上記リブ柱の小間隙を配線挿通路とする配線挿通孔を形成していることを特徴とする、請求項１〜３のいずれかに記載の配線用フロアパネル。
　【請求項５】
　隣接する配線用フロアパネルの方形支持ブロックの落し込み段部同士に、カバー板を掛け渡して連結するようにした、請求項１〜４のいずれかに記載の配線用フロアパネル。
【発明の詳細な説明】
　【０００１】
　【発明の属する技術分野】
　本発明は、室内の床面に敷設され、室内に通信ケーブルやＯＡ機器等の配線を露出することなく施工するための配線用フロアパネルに関する。
　【０００２】
　【従来の技術】
　従来、この種の配線用フロアパネルとして、例えば、図１５に示すように、四方に配置された中空の方形ブロックａを薄肉の連結片ｂで連結して、この薄肉の連結片ｂを直交配線溝としたものがある。
　【０００３】
　【発明が解決しようとする課題】
　ところが、上記従来のフロアパネルにおいては、方形ブロックａの裏面側が中空に形成されているために、この方形ブロックａを大きく形成したり、上部支持面を薄肉に形成すると、強度的に弱いものとなるので、方形ボードａの大きさに制限があるといった問題があった。
　【０００４】
　更に、配線は直交配線溝ｂに限られてしまい、方形ブロックａには配線できないので、配線の形態が限られるという問題があった。本発明は、上記従来の問題に鑑みて提案されたものであって、配線を自由に行え、強度的にも強くできて方形支持ブロックの寸法を大きくでき、配線施工を容易に行うことができる配線用フロアパネルを提供することを目的としている。
　【０００５】
　【課題を解決するための手段】
　本発明は、上記目的を達成するために提案されたものであって、請求項１の配線用フロアパネルは、複数の方形支持ブロックの対向する側端の下部を薄肉連結片で相互に連結して直交配線溝を形成した配線用フロアパネルにおいて、方形支持ブロックの各々は開放した底面を有し、内裏面には複数のリブ柱を所定隙間を保持して突設させた構造となし、更に上記直交配線溝の側内壁から方形支持ブロックの外側立壁に通じるバイパス分岐路を形成した構造とし、その端部は方形支持ブロックの外側立壁から上面にかけて切り欠いた上面開口部を形成し、直交配線溝には、複数のスペーサブロックを長手方向に所定間隔を設けて、直交配線溝を区画し、直交配線溝を形成する薄肉連結片の交差箇所には、カバー体の支持台となるセンターポストを立設し、直交配線溝の交差部に位置する４つの方形支持ブロックの落し込み段部の隅部は、アップコンセントの取付台をネジ止めするための孔部を形成していることを特徴とする。
　【０００６】
　この配線用フロアパネルでは、方形支持ブロックの内裏面に複数のリブ柱を所定間隔を保持して突設しているため、上部支持面を薄くできるので、中空のものに比べて耐荷重を向上でき、かつ方形ブロックを大きく形成することができる。
　【０００７】
　この配線用フロアパネルでは、直交配線溝を複数のスペーサブロックで区画しているので、幹線通路を２つに分岐して使用でき、電力線と通信線、往復の通信路、電気系の配線などを２つに分岐して施工できる。また、この配線用フロアパネルは、上記直交配線溝を形成する薄肉連結片の交差箇所にはカバー体の支持台となるセンターポストを立設している。
　【０００８】
　この配線用フロアパネルでは、センターポストでカバー体を支持できる。また、この配線用フロアパネルは、上記直交配線溝の交差部に位置する４つの方形支持ブロックの落し込み段部の隅部は、アップコンセントの取付台をネジ止めするための孔部を形成している。
　【０００９】
　この配線用フロアパネルでは、アップコンセントの取付台をネジ止めするための孔部を形成しているので、アップコンセントを床面に固定する必要がなく、取付台を方形支持ブロックに取付けることができ、施工が行い易く、外観も良好なものとすることができる。請求項２の配線用フロアパネルは、請求項１に記載の配線用フロアパネルの、上記方形支持ブロックの上面には、方形支持ブロックを４分割するための十文字の切込み溝が形成されている。
　【００１０】
　この配線用フロアパネルでは、方形支持ブロックの上面に十文字の切込み溝が形成されているので、フロアパネルを施工現場の床面のスペースや形状に応じて適宜切断して使用でき、施工を容易にできる。請求項３の配線用フロアパネルは、請求項２に記載の配線用フロアパネルの、上記方形支持ブロックの上面には、方形支持ブロックを４分割するための十文字の切込み溝が形成されるとともに、この切込み溝に従って分割される薄肉連結片には、対応したスペーサブロックを対設している。
　【００１１】
　この配線用フロアパネルでは、フロアパネルのサイズを変更した場合でも、スペーサブロックがあるので、直交配線溝を区画して使用できる。請求項４の配線用フロアパネルは、請求項１〜３のいずれかに記載の配線用フロアパネルの、上記直交配線溝の側内壁には、上記方形支持ブロックの内部に形成された上記リブ柱の小間隙に対応した配線挿通孔を形成している。
　【００１２】
　この配線用フロアパネルでは、配線挿通孔から方形支持ブロックの内裏面のリブ柱間の間隙を通して配線することができるので、バイパス通路以外にも配線通路として使用できる。請求項５の配線用フロアパネルでは、請求項１〜４のいずれかに記載の配線用フロアパネルの、隣接する配線用フロアパネルの方形支持ブロックの落し込み段部同士に、カバー板を掛け渡して連結するようにした。
　【００１３】
　【発明の実施の形態】
　以下、本発明に係る配線用フロアパネルの実施の形態について、図面を参照しつつ説明する。図１は本実施の形態の配線用フロアパネルの斜視図、図２は平面図、図３は底面図、図４は主要部である方形支持ブロックの裏面側から見た斜視図である。
　【００１４】
　本実施の形態の配線用フロアパネル１は、図１〜図４に示すように、複数の方形支持ブロック２の対向する側端の下部を薄肉連結片３で相互に連結して直交配線溝４を形成し、方形支持ブロック２の各々は開放した底面を有し、内裏面には底面視Ｘ字形の複数のリブ柱５を所定隙間を保持して突設させ、直交配線溝４の側内壁４ａから方形支持ブロック２の外側立壁２ｊに通じるバイパス分岐路７が形成されている。
　【００１５】
　更に、直交配線溝４には、複数のスペーサブロック８を長手方向に所定間隔を設けて、直交配線溝４を区画している。また、直交配線溝４を形成する薄肉連結片３の交差箇所には、カバー板（図５，図６参照）の支持台となるセンターポスト１０が立設されている。　直交配線溝４の交差部に位置する４つの方形支持ブロック２の落し込み段部２ａの隅部には、アップコンセント９（図７，図８参照）の取付台９ａをネジ止めするための孔部２ｂが形成されている。
　【００１６】
　更に、方形支持ブロック２の上面２ｃには、方形支持ブロック２を４分割するための十文字の切込み溝２ｄが形成されているとともに、この切込み溝２ｄに従って分割される薄肉連結片３には、対応したスペーサブロック８が対設されている。直交配線溝４の側内壁４ａには、方形支持ブロック２の内部に形成されたリブ柱５の小間隙５ａに対応した配線挿通孔５ｂが形成されている。
　【００１７】
　方形支持ブロック２の落し込み段部２ａの所定箇所には、直交配線溝４を覆うためのカバー板１０’（図５，図６参照）に形成された複数の止め穴１０’ａと対応する箇所に、これらの止め穴１０’ａに嵌入される複数の小突起２ｅが突設されている。薄肉連結片３の交差箇所は適宜大きさ切り落とされており、また三方の薄肉連結片３の外縁部分も適宜大きさ切り落とされている。
　【００１８】
　また、スペーサブロック８はそれぞれ中空に形成され、長手方向略中央部に補強内壁８ａが形成されている。方形支持ブロック２の落し込み段部２ａの裏側は中空に形成され、適宜箇所に補強用リブ柱２ｆが突設されている。そして、この中空部２ｇと複数のリブ柱５との間には、区画壁２ｈが形成され、区画壁２ｈにおける側内壁５に形成された配線挿通孔５ｂに対応した箇所にも配線用挿通孔２ｉが形成されている。
　【００１９】
　上記のように構成された配線用フロアパネル１は、室内の床面に敷設して配線施工した後、図５，図６に示すように、カバー板１０’を薄肉連結片３即ち直交配線溝４を覆うように、その縁部を方形支持ブロック２の落し込み段部２ａに載置し、このカバー板１０’の複数の止め穴１０’ａに落し込み段部２ａの複数の小突起２ｅが嵌入されて位置決め固定されようになっている。この際、カバー板１０’は、上記センターポスト１０によって、その中央部分が支持されている。
　【００２０】
　尚、複数の配線用フロアパネル１を床面に敷設した場合には、一方の配線用フロアパネル１の方形支持ブロック２の落し込み段部２ａと他方の配線用フロアパネル１の方形支持ブロック２の落し込み段部２ａとの間に、長い寸法のカバー板１０’を、落し込み段部２ａの小突起２ｅにカバー体１０の止め穴１０’ａをそれぞれ嵌込んで懸け渡すことによって、これら２つの配線用フロアパネル１をカバー板１０’を介して連結することができるようになっている。
　【００２１】
　アップコンセント９は、図７に示すように、コンセント本体９Ａと蓋材９Ｂとからなり、コンセント本体９Ａのコンセント部９ｅを前向きにして、取付台９ａの四隅部の孔部９ｂを四方の方形支持ブロック２の落し込み段部２ａの内側隅部に設けられた孔部２ｂに合わせてネジ止めするようになっている。アップコンセント９の蓋材９Ｂの適宜箇所には、配線取り出し用の２つの孔部９ｃが設けられ、この孔部９ｃは切り込みを設けた薄肉のゴム材９ｄによって覆われている。
　【００２２】
　スペーサブロック８で区画された直交配線溝４には、図９に示すように、両端部にコンセントを有する矩形の配線接続用コンセント１１がピッタリと嵌入されるようになっており、この配線接続用コンセント１１の上面の縁部に形成されたネジ止め用孔部１１ａと、これに対応する方形支持ブロック２の落し込み段部２ａに設けられたネジ止め用孔部２ｆとの間に、連結用小片（図示略）を懸け渡して、この連結用小片の両端を各ネジ止め用孔部１１ａ，２ｆにネジ止めすることによって、配線接続用コンセント１１が位置決め固定されるようになっている。
　【００２３】
　図１０〜図１２に示すのは、床面に敷設した配線用フロアパネル１の周囲における半端なスペースに嵌入られるボーダブロック１２であって、このボーダブロック１２の表面には複数条の切断用切込み１２ａが形成され、裏面には裏面視Ｘ字形の大小のリブ柱１２ｂ，１２ｃが突設されている。このボーダブロック１２を半端なスペースに嵌入するには、この半端なスペースの形状、大きさに合わせて、適宜な形状、大きさに切断してから嵌入する。
　【００２４】
　このボーダブロック１２によって、床面に敷設した配線用フロアパネル１の周囲における半端なスペースを埋めることができて、外観が良くなる利点があり、半端なスペースが露出することを無くすことができる。次に、図１３を参照しつつ、配線用フロアパネル１の第１の使用例について説明する。
　【００２５】
　図１３は、４つの配線用フロアパネル１を突き合わして床面に敷設した状態を示しており、中央部に４つの方形支持ブロック２が位置するように敷設している。このように、中央部に４つの方形支持ブロック２が集まるので、耐重量性が大きくなる利点がある。各配線用フロアパネル１の直交配線溝４は、それぞれ連設された状態となり、この連設された直交配線溝４に、機器の配線を連続して施工できるので、配線施工が行い易い利点がある。
　【００２６】
　更に、一方の配線用フロアパネル１の方形支持ブロック２の落し込み段部２ａと他方の配線用フロアパネル１の方形支持ブロック２の落し込み段部２ａとの間に、長い寸法のカバー板（図示せず。）を懸け渡すことによって、これらの配線用フロアパネル１をカバー板（図示せず。）を介して強固に連結することができる。次に、図１４を参照しつつ、配線用フロアパネル１の第２の使用例について説明する。
　【００２７】
　図１４は、４つの配線用フロアパネル１を突き合わして床面に敷設した状態を示しており、図面上で後部側に位置する２つの配線用フロアパネル１は、各々後側の２つの方形支持ブロック２をその切込み溝２ｄから切断して外側部分を切除している。このように、床面の広さ等に合わせて、方形支持ブロック２をその切込み溝２ｄから切断して切除できるので、多種の形状の床面に対応することができて施工性が良い利点がある。
　【００２８】
　この第２の使用例においても、中央部に４つの方形支持ブロック２が集まるので、耐重量性が大きくなる利点がある。尚、上記第１，第２の使用例において、複数の配線用フロアパネル１を突き合わして床面に敷設した場合に、床面の隅部等に床面が露出するときには、図１０〜図１１に示すボーダブロック１２を適宜な大きさに切断してから、敷設することによって、床面が露出する部分を無くすことができる。
　【００２９】
　【発明の効果】
　以上説明したように、請求項１の配線用フロアパネルによれば、方形支持ブロックの内裏面に複数のリブ柱を所定間隔を保持して突設しているので、中空のものに比べて耐荷重を向上でき、かつ方形支持ブロックを大きく形成することができて施工を容易にできる。
　【００３０】
　更に、直交配線溝も大きくできるので、配線を立体交差させた状態でもこの配線を収容できる。また、配線の幹線となる直交配線溝の側内壁に配線挿通孔を形成して、方形支持ブロックの内部から外側立壁にはバイパス分岐路を形成しているので、幹線から分岐した配線を、バイパス分岐路を通り最短距離で方形支持ブロックの外側に導出でき、また、方形支持ブロックの外側より導出している配線を直交配線溝まで導入できる。
　【００３１】
　更に、ＯＡ機器などを配線して使用する場合も、配線の引き出しを直交配線溝からではなく、方形支持ブロックの外側からもでき、より隠蔽効率を高めることができる。また、この配線用フロアパネルによれば、直交配線溝を複数のスペーサブロックで区画しているので、幹線通路を２つに分岐して使用でき、電力線と通信線、往復の通信路、電気系の配線などを２つに分岐して施工することができる。
　【００３２】
　また、この配線用フロアパネルによれば、アップコンセントを床面に固定する必要がなく、取付台を方形支持ブロックに取付けることができ、施工が行い易く、外観も良好なものとすることができる。
　【００３３】
　請求項２の配線用フロアパネルによれば、方形支持ブロックの上面に十文字の切込み溝が形成されているので、フロアパネルを施工現場の床面のスペースや形状に応じて適宜切断して使用でき、施工を容易にできる。請求項３の配線用フロアパネルによれば、フロアパネルのサイズを変更した場合でも、スペーサブロックがあるので、直交配線溝を区画して使用できる。
　【００３４】
　請求項４の配線用フロアパネルによれば、配線挿通孔から方形支持ブロックの内裏面のリブ柱間の間隙を通して配線することができるので、バイパス通路以外にも配線通路として使用できる。請求項５の配線用フロアパネルによれば、隣接する配線用フロアパネル同士がカバー体を掛け渡して相互に連結される。
【図面の簡単な説明】
　【図１】本発明に係る配線用フロアパネルの実施の形態の斜視図である。
　【図２】配線用フロアパネルの平面図である。
　【図３】配線用フロアパネルの底面図である。
　【図４】配線用フロアパネルの方形支持ブロックの部分を裏側から見た部分斜視図である。
　【図５】配線用フロアパネルの直交配線溝部分に、カバー板を被せる状態を示す分解斜視図である。
　【図６】配線用フロアパネルの直交配線溝部分をカバー板で覆った状態を示す斜視図である。
　【図７】配線用フロアパネルの直交配線溝の直交部分にアップコンセントを取り付けるときの状態を示す分解斜視図である。
　【図８】配線用フロアパネルの直交配線溝の直交部分にアップコンセントを取り付けた状態を示す斜視図である。
　【図９】スペーサブロックで区画された直交配線溝に、配線接続用ブロックを嵌入した状態を示す斜視図である。
　【図１０】ボーダブロックの平面図である。
　【図１１】ボーダブロックの底面図である。
　【図１２】ボーダブロックの側面図である。
　【図１３】４つの配線用フロアパネルを床面に敷設施工した第１の使用例を斜視図である。
　【図１４】２つの配線用フロアパネルの方形支持ブロックの一部を切除した状態で、４つの配線用フロアパネルを床面に敷設施工した第２の使用例を示す斜視図である。
　【図１５】従来の配線用フロアパネルの一例を示す斜視図である。
　【符号の説明】
　１　　　　　配線用フロアパネル
　２　　　　　方形支持ブロック
　２ａ　　　　落し込み段部
　２ｂ　　　　孔部
　２ｄ　　　　十文字の切込み溝
　２ｊ　　　　外側立壁
　３　　　　　薄肉連結片
　４　　　　　直交配線溝
　４ａ　　　　側内壁
　５　　　　　リブ柱
　５ａ　　　　小間隙
　５ｂ　　　　配線挿通孔
　７　　　　　バイパス分岐路
　８　　　　　スペーサブロック
　９　　　　　アップコンセント
　９ａ　　　　取付台
　１０　　　　センターポスト
　１０’　　　カバー体
　１０’ａ　　止め穴